(57)【要約】【課題】商品を視覚的に認識することができ、また商品が本物であることを裏付けることができ、さらには情報を有効活用することができるようにする。【解決手段】証明書カード１０の表側の表示領域１１に商品（バッグ）２０の画像を表示するように、証明書カード１０が商品（バッグ）２０のものであることを一見して識別することができるようにする。証明書カード１０の表側の表示領域１１に商品（バッグ）２０の画像を表示するようにし、自分が保有する商品（バッグ）２０をその画像から判断することができるようにする。証明書カード１０の表側又は裏側に商品（バッグ）２０の全世界でいくつ製造されているかが分かる通し番号を表記したり、ＩＣチップ１３にその通し番号を示す情報を格納しておくことで、商品（バッグ）２０の証明の価値やコレクションの価値をさらに高めるようにする。【選択図】    図１
2004276238.tif 000002
【特許請求の範囲】
【請求項１】
携帯サイズをなし、証明が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、証明内容を示す情報、画像情報、ジャンル、商品自体の情報が格納されている記憶媒体と、少なくとも前記証明内容、購入日、購入店が記載される表示領域とが設けられ、
前記記憶媒体の情報が読み取り装置により読み取り可能とされていることを特徴とする携帯用情報収集媒体。
【請求項２】
携帯サイズをなし、保証が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、保証内容を示す情報、画像情報、ジャンル、商品自体の情報が格納されている記憶媒体と、少なくとも前記保証内容、購入日、購入店が記載される表示領域とが設けられ、
前記記憶媒体の情報が読み取り装置により読み取り可能とされていることを特徴とする携帯用情報収集媒体。
【請求項３】
携帯サイズをなし、購入して所有できる無機質的なものに関する情報を保持し、前記情報が読み取り装置により読み取り可能とされていることを特徴とする携帯用情報収集媒体。
【請求項４】
プロダクト説明が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、画像情報、ジャンル、商品自体の情報が格納されている記憶媒体と、少なくとも購入日、購入店が表示される表示領域とが設けられていることを特徴とする請求項３に記載の携帯用情報収集媒体。
【請求項５】
携帯サイズをなし、有機質的なものに関する情報を保持し、前記情報が読み取り装置により読み取り可能とされていることを特徴とする携帯用情報収集媒体。
【請求項６】
プロダクト説明が必要となる商品の画像が表示される表示領域と、前記商品の商品名の画像又はイラスト又はテキスト文字が表示される表示領域と、前記商品の商品名及び商品が存在する店舗名の情報、画像情報、来店日、店の場所、店の電話番号、ジャンル、商品自体の情報が格納されている記憶媒体と、少なくとも来店日、店の場所、電話番号が表示される表示領域とが設けられていることを特徴とする請求項５に記載の携帯用情報収集媒体。
【請求項７】
携帯サイズをなし、購入して所有することができないものに関する情報を保持し、前記情報が読み取り装置により読み取り可能とされていることを特徴とする携帯用情報収集媒体。
【請求項８】
訪問した又は訪問したい店の画像が表示される表示領域と、前記店の店舗名の画像又はイラスト又はテキスト文字が表示される表示領域と、前記店の店舗名の情報、画像情報、来店日、店の場所、店の電話番号、ジャンル、店自体の情報が格納されている記憶媒体と、少なくとも来店日、店の場所、電話番号が表示される表示領域とが設けられていることを特徴とする請求項７に記載の携帯用情報収集媒体。
【請求項９】
前記記憶媒体に格納されている情報は、所定の暗号化方式により暗号化されていることを特徴とする請求項１〜８のいずれかに記載の携帯用情報収集媒体。
【請求項１０】
前記記憶媒体は、ＩＣチップ又は２次元バーコードであることを特徴とする請求項１〜８のいずれかに記載の携帯用情報収集媒体。
【請求項１１】
四隅のいずれかに紐が通るほどの穴が形成され、その穴に通された紐を介し、商品につなげられるようにしたことを特徴とする請求項１〜１０のいずれかに記載の携帯用情報収集媒体。
【請求項１２】
携帯サイズをなし、証明が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、証明内容を示す情報、画像情報、ジャンル、商品自体の情報が格納されている記憶媒体と、少なくとも前記証明内容、購入日、購入店が記載される表示領域とが設けられている携帯用情報収集媒体と、
前記記憶媒体の情報を読み取る読み取り装置と、
バーチャルソフトが組み込まれている電子機器とを備え、
前記読み取り装置により読み取られた前記記憶媒体内の前記証明が必要となる商品の画像が前記バーチャルソフトによって得られる空間内の自由な位置に配置され、また前記バーチャルソフトに既に組み込まれている商品情報に関わるキャラクターと合体及び連携されることを特徴とするカード情報読み取りシステム。
【請求項１３】
携帯サイズをなし、保証が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、保証内容を示す情報、画像情報、ジャンル、商品自体の情報が格納されている記憶媒体と、少なくとも前記保証内容、購入日、購入店が記載される表示領域とが設けられている携帯用情報収集媒体と、
前記記憶媒体の情報を読み取る読み取り装置と、
バーチャルソフトが組み込まれている電子機器とを備え、
前記読み取り装置により読み取られた前記記憶媒体内の前記保証が必要となる商品の画像が前記バーチャルソフトによって得られる空間内の自由な位置に配置され、また前記バーチャルソフトに既に組み込まれている商品情報に関わるキャラクターと合体及び連携されることを特徴とするカード情報読み取りシステム。
【請求項１４】
携帯サイズをなし、プロダクト説明が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、画像情報、ジャンル、商品自体の情報が格納されている記憶媒体と、少なくとも購入日、購入店が表示される表示領域とが設けられている携帯用情報収集媒体と、
前記記憶媒体の情報を読み取る読み取り装置と、
コーディネートを支援するソフトが組み込まれている電子機器とを備え、
前記読み取り装置により読み取られた前記記憶媒体内の前記プロダクト説明が必要となる商品の画像が前記コーディネートを支援するソフトにより取り込まれることで、他の洋服との組み合わせがコーディネートされることを特徴とするカード情報読み取りシステム。
【請求項１５】
携帯サイズをなし、プロダクト説明が必要となる商品の画像が表示される表示領域と、前記商品の商品名の画像又はイラスト又はテキスト文字が表示される表示領域と、前記商品の商品名及び商品が存在する店舗名の情報、画像情報、来店日、店の場所、店の電話番号、ジャンル、商品自体の情報が格納されている記憶媒体と、少なくとも来店日、店の場所、電話番号が表示される表示領域とが設けられている携帯用情報収集媒体と、
前記記憶媒体の情報を読み取る読み取り装置と、
献立を支援するソフトが組み込まれている電子機器とを備え、
前記読み取り装置により読み取られた前記記憶媒体内の前記プロダクト説明が必要となる商品の画像及びレシピが前記献立を支援するソフトにより取り込まれることで、献立の支援が行われることを特徴とするカード情報読み取りシステム。
【請求項１６】
携帯サイズをなし、訪問した又は訪問したい店の画像が表示される表示領域と、前記店の店舗名の画像又はイラスト又はテキスト文字が表示される表示領域と、前記店の店舗名の情報、画像情報、来店日、店の場所、店の電話番号、ジャンル、店自体の情報が格納されている記憶媒体と、少なくとも来店日、店の場所、電話番号が表示される表示領域とが設けられている携帯用情報収集媒体と、
前記記憶媒体の情報を読み取る読み取り装置と、
バーチャルソフトが組み込まれている電子機器とを備え、
前記読み取り装置により読み取られた前記記憶媒体内の前記店の画像が前記バーチャルソフトによって得られる空間内に店の位置情報に基づく適切な位置に配置され、また前記バーチャルソフトに既に組み込まれている店情報に関わるキャラクターと合体及び連携されることを特徴とするカード情報読み取りシステム。
【請求項１７】
携帯サイズをなし、証明が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、証明内容を示す情報、画像情報、ジャンル、商品自体の情報、前記商品を提供するメーカー側のＵＲＬの情報が格納されている記憶媒体と、少なくとも前記証明内容、購入日、購入店が記載される表示領域とが設けられている携帯用情報収集媒体と、
インターネットへの通信機能を有した電子機器と、
前記電子機器に接続され、前記記憶媒体の情報を読み取る読み取り装置と、
前記インターネットに接続され、情報を提供するｗｅｂサーバーとを備え、
前記読み取り装置により前記記憶媒体内のＵＲＬが読み取られると、前記電子機器により、読み取られた前記ＵＲＬを基に、前記インターネット上の前記ｗｅｂサーバーへのアクセスが行われ、前記証明が必要となる商品のメーカー側の情報が得られることを特徴とするカード情報利用システム。
【請求項１８】
携帯サイズをなし、保証が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、保証内容を示す情報、画像情報、ジャンル、商品自体の情報、前記商品を提供するメーカー側のＵＲＬの情報が格納されている記憶媒体と、少なくとも前記保証内容、購入日、購入店が記載される表示領域とが設けられている携帯用情報収集媒体と、
インターネットへの通信機能を有した電子機器と、
前記電子機器に接続され、前記記憶媒体の情報を読み取る読み取り装置と、
前記インターネットに接続され、情報を提供するｗｅｂサーバーとを備え、
前記読み取り装置により前記記憶媒体内のＵＲＬが読み取られると、前記電子機器により、読み取られた前記ＵＲＬを基に、前記インターネット上の前記ｗｅｂサーバーへのアクセスが行われ、前記保証が必要となる商品のメーカー側の情報が得られることを特徴とするカード情報利用システム。
【請求項１９】
携帯サイズをなし、プロダクト説明が必要となる商品の画像が表示される表示領域と、前記商品のメーカー及び商品名の画像又はイラスト又はテキスト文字が表示される表示領域と、前記商品のメーカー及び商品名の情報、製造番号、購入日、購入店、画像情報、ジャンル、商品自体の情報、前記商品を提供するメーカー側のＵＲＬの情報が格納されている記憶媒体と、少なくとも購入日、購入店が表示される表示領域とが設けられている携帯用情報収集媒体と、
インターネットへの通信機能を有した電子機器と、
前記電子機器に接続され、前記記憶媒体の情報を読み取る読み取り装置と、
前記インターネットに接続され、情報を提供するｗｅｂサーバーとを備え、
前記読み取り装置により前記記憶媒体内のＵＲＬが読み取られると、前記電子機器により、読み取られた前記ＵＲＬを基に、前記インターネット上の前記ｗｅｂサーバーへのアクセスが行われ、前記プロダクト説明が必要となる商品のメーカー側の情報が得られることを特徴とするカード情報利用システム。
【請求項２０】
携帯サイズをなし、プロダクト説明が必要となる商品の画像が表示される表示領域と、前記商品の商品名の画像又はイラスト又はテキスト文字が表示される表示領域と、前記商品の商品名及び商品が存在する店舗名の情報、画像情報、来店日、店の場所、店の電話番号、ジャンル、商品自体の情報、前記商品を提供する店側のＵＲＬの情報が格納されている記憶媒体と、少なくとも来店日、店の場所、電話番号が表示される表示領域とが設けられている携帯用情報収集媒体と、
インターネットへの通信機能を有した電子機器と、
前記電子機器に接続され、前記記憶媒体の情報を読み取る読み取り装置と、
前記インターネットに接続され、情報を提供するｗｅｂサーバーとを備え、
前記読み取り装置により前記記憶媒体内のＵＲＬが読み取られると、前記電子機器により、読み取られた前記ＵＲＬを基に、前記インターネット上の前記ｗｅｂサーバーへのアクセスが行われ、前記商品を提供する店側の情報が得られることを特徴とするカード情報利用システム。
【請求項２１】
携帯サイズをなし、訪問した又は訪問したい店の画像が表示される表示領域と、前記店の店舗名の画像又はイラスト又はテキスト文字が表示される表示領域と、前記店の店舗名の情報、画像情報、来店日、店の場所、店の電話番号、ジャンル、店自体の情報、前記店のＵＲＬの情報が格納されている記憶媒体と、少なくとも来店日、店の場所、電話番号が表示される表示領域とが設けられている携帯用情報収集媒体と、
インターネットへの通信機能を有した電子機器と、
前記電子機器に接続され、前記記憶媒体の情報を読み取る読み取り装置と、
前記インターネットに接続され、情報を提供するｗｅｂサーバーとを備え、
前記読み取り装置により前記記憶媒体内のＵＲＬが読み取られると、前記電子機器により、読み取られた前記ＵＲＬを基に、前記インターネット上の前記ｗｅｂサーバーへのアクセスが行われ、前記店側の情報が得られることを特徴とするカード情報利用システム。
【発明の詳細な説明】
【０００１】
【発明の属する技術分野】
本発明は、商品毎に設けられている証明書、保証書、プロダクト説明書に関わるテキスト情報や、商品に関わる静止画及び動画等の画像情報を情報収集媒体である携帯サイズのカードに収集させた携帯用情報収集媒体に関する。
【０００２】
【従来の技術】
商品を購入すると、その商品の証明書、保証書又はプロダクト説明書の用紙が商品に添付されてくる。これら証明書、保証書又はプロダクト説明書は、商品の型番や商品名等を表したり、その商品の保証期間や保証内容等を表したりするものである。特に、証明書にあっては、その商品が本物であることを裏付ける内容が示されている。また、プロダクト説明書にあっては、その商品が洋服である場合、サイズ、色、デザイン等の内容が示されている。このような証明書、保証書又はプロダクト説明書は、月日がたつと商品の品名だけではどの商品のものかを把握することが困難となる。
ちなみに、特許文献１では、たとえばＩＣカード内に電子マネー情報と共に、パーソナルコンピュータや家電品等の内部機器データや保証書データを格納しておく方式を提案している。
【０００３】
【特許文献１】
特開平１０−３４０３０１
【発明が解決しようとする課題】
ところが、上述した特許文献１では、ＩＣカード内に電子マネー情報と共に、パーソナルコンピュータ及び家電品等の内部機器データや保証書データを格納しておくことができるものの、そのＩＣカード自体には商品の静止画や動画等の画像情報が持たされていないため、その商品を視覚的に認識することができない。
また、そのＩＣカード内には、その商品が本物であることを裏付けるデータが格納されていないため、その商品が本物であることを裏付けることは困難である。また、そのＩＣカード内には、その商品の静止画や動画等の画像情報が持たされていないため、その画像情報等の有効活用を図ることができない。
【０００４】
本発明は、このような状況に鑑みてなされたものであり、商品を視覚的に認識することができ、また商品が本物であることを裏付けることができ、さらには情報を有効活用することができる携帯用情報収集媒体を提供することができるようにするものである。
【０００５】
【課題を解決するための手段】
本発明の携帯用情報収集媒体は、携帯サイズをなし、証明が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、証明内容を示す情報、画像情報、ジャンル、商品自体の情報が格納されている記憶媒体と、少なくとも前記証明内容、購入日、購入店が記載される表示領域とが設けられ、記憶媒体の情報が読み取り装置により読み取り可能とされていることを特徴とする。
本発明の携帯用情報収集媒体は、携帯サイズをなし、保証が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、保証内容を示す情報、画像情報、ジャンル、商品自体の情報が格納されている記憶媒体と、少なくとも前記保証内容、購入日、購入店が記載される表示領域とが設けられ、記憶媒体の情報が読み取り装置により読み取り可能とされていることを特徴とする。
本発明の携帯用情報収集媒体は、携帯サイズをなし、購入して所有できる無機質的なものに関する情報を保持し、情報が読み取り装置により読み取り可能とされていることを特徴とする。
また、プロダクト説明が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、画像情報、ジャンル、商品自体の情報が格納されている記憶媒体と、少なくとも購入日、購入店が表示される表示領域とが設けられているようにすることができる。
本発明の携帯用情報収集媒体は、携帯サイズをなし、有機質的なものに関する情報を保持し、情報が読み取り装置により読み取り可能とされていることを特徴とする。
また、プロダクト説明が必要となる商品の画像が表示される表示領域と、商品の料理名の画像又はイラスト又はテキスト文字が表示される表示領域と、前記商品の商品名及び商品が存在する店舗名の情報、画像情報、来店日、店の場所、店の電話番号、ジャンル、商品自体の情報が格納されている記憶媒体と、少なくとも来店日、店の場所、電話番号が表示される表示領域とが設けられているようにすることができる。
本発明の携帯用情報収集媒体は、携帯サイズをなし、購入して所有することができないものに関する情報を保持し、情報が読み取り装置により読み取り可能とされていることを特徴とする。
また、訪問した又は訪問したい店の画像が表示される表示領域と、店の店舗名の画像又はイラスト又はテキスト文字が表示される表示領域と、前記店の店舗名の情報、画像情報、来店日、店の場所、店の電話番号、ジャンル、店自体の情報が格納されている記憶媒体と、少なくとも来店日、店の場所、電話番号が表示される表示領域とが設けられているようにすることができる。
また、記憶媒体に格納されている情報は、所定の暗号化方式により暗号化されているようにすることができる。
また、記憶媒体は、ＩＣチップ又は２次元バーコードであるようにすることができる。
また、四隅のいずれかに紐が通るほどの穴が形成され、その穴に通された紐を介し、商品につなげられるようにすることができる。
本発明のカード情報読み取りシステムは、携帯サイズをなし、証明が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、証明内容を示す情報、画像情報、ジャンル、商品自体の情報が格納されている記憶媒体と、少なくとも前記証明内容、購入日、購入店が記載される表示領域とが設けられている携帯用情報収集媒体と、記憶媒体の情報を読み取る読み取り装置と、バーチャルソフトが組み込まれている電子機器とを備え、読み取り装置により読み取られた記憶媒体内の証明が必要となる商品の画像がバーチャルソフトによって得られる空間内の自由な位置に配置され、またバーチャルソフトに既に組み込まれている商品情報に関わるキャラクターと合体及び連携されることを特徴とする。
本発明のカード情報読み取りシステムは、携帯サイズをなし、保証が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、保証内容を示す情報、画像情報、ジャンル、商品自体の情報が格納されている記憶媒体と、少なくとも前記保証内容、購入日、購入店が記載される表示領域とが設けられている携帯用情報収集媒体と、記憶媒体の情報を読み取る読み取り装置と、バーチャルソフトが組み込まれている電子機器とを備え、読み取り装置により読み取られた記憶媒体内の保証が必要となる商品の画像がバーチャルソフトによって得られる空間内の自由な位置に配置され、またバーチャルソフトに既に組み込まれている商品情報に関わるキャラクターと合体及び連携されることを特徴とする。
本発明のカード情報読み取りシステムは、携帯サイズをなし、プロダクト説明が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、画像情報、ジャンル、商品自体の情報が格納されている記憶媒体と、少なくとも購入日、購入店が表示される表示領域とが設けられている携帯用情報収集媒体と、記憶媒体の情報を読み取る読み取り装置と、コーディネートを支援するソフトが組み込まれている電子機器とを備え、読み取り装置により読み取られた記憶媒体内のプロダクト説明が必要となる商品の画像がコーディネートを支援するソフトにより取り込まれることで、他の商品との組み合わせがコーディネートされることを特徴とする。
本発明のカード情報読み取りシステムは、携帯サイズをなし、プロダクト説明が必要となる商品の画像が表示される表示領域と、前記商品の商品名及び商品が存在する店舗名の情報、画像情報、来店日、店の場所、店の電話番号、ジャンル、商品自体の情報が格納されている記憶媒体と、少なくとも来店日、店の場所、電話番号が表示される表示領域とが設けられている携帯用情報収集媒体と、記憶媒体の情報を読み取る読み取り装置と、献立を支援するソフトが組み込まれている電子機器とを備え、読み取り装置により読み取られた記憶媒体内のプロダクト説明が必要となる商品の画像及びレシピが献立を支援するソフトにより取り込まれることで、献立の支援が行われることを特徴とする。
本発明のカード情報読み取りシステムは、携帯サイズをなし、訪問した又は訪問したい店の画像が表示される表示領域と、店の店舗名の画像又はイラスト又はテキスト文字が表示される表示領域と、前記店の店舗名の情報、画像情報、来店日、店の場所、店の電話番号、ジャンル、店自体の情報が格納されている記憶媒体と、少なくとも来店日、店の場所、電話番号が表示される表示領域とが設けられている携帯用情報収集媒体と、記憶媒体の情報を読み取る読み取り装置と、バーチャルソフトが組み込まれている電子機器とを備え、読み取り装置により読み取られた記憶媒体内の店の画像がバーチャルソフトによって得られる空間内に店の位置情報に基づく適切な位置に配置され、またバーチャルソフトに既に組み込まれている店情報に関わるキャラクターと合体及び連携されることを特徴とする。
本発明のカード情報利用システムは、携帯サイズをなし、証明が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、証明内容を示す情報、画像情報、ジャンル、商品自体の情報、商品を提供するメーカー側のＵＲＬの情報が格納されている記憶媒体と、少なくとも前記証明内容、購入日、購入店が記載される表示領域とが設けられている携帯用情報収集媒体と、インターネットへの通信機能を有した電子機器と、電子機器に接続され、記憶媒体の情報を読み取る読み取り装置と、インターネットに接続され、情報を提供するｗｅｂサーバーとを備え、読み取り装置により記憶媒体内のＵＲＬが読み取られると、電子機器により、読み取られたＵＲＬを基に、インターネット上のｗｅｂサーバーへのアクセスが行われ、証明が必要となる商品のメーカー側の情報が得られることを特徴とする。
本発明のカード情報利用システムは、携帯サイズをなし、保証が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、保証内容を示す情報、画像情報、ジャンル、商品自体の情報、商品を提供するメーカー側のＵＲＬの情報が格納されている記憶媒体と、少なくとも前記保証内容、購入日、購入店が記載される表示領域とが設けられている携帯用情報収集媒体と、インターネットへの通信機能を有した電子機器と、電子機器に接続され、記憶媒体の情報を読み取る読み取り装置と、インターネットに接続され、情報を提供するｗｅｂサーバーとを備え、読み取り装置により記憶媒体内のＵＲＬが読み取られると、電子機器により、読み取られたＵＲＬを基に、インターネット上のｗｅｂサーバーへのアクセスが行われ、保証が必要となる商品のメーカー側の情報が得られることを特徴とする。
本発明のカード情報利用システムは、携帯サイズをなし、プロダクト説明が必要となる商品の画像が表示される表示領域と、商品のメーカー及び商品名の画像又はイラスト又はテキスト文字が表示される表示領域と、前記商品のメーカー及び商品名の情報、製造番号、購入日、購入店、画像情報、ジャンル、商品自体の情報、商品を提供するメーカー側のＵＲＬの情報が格納されている記憶媒体と、少なくとも購入日、購入店が表示される表示領域とが設けられている携帯用情報収集媒体と、インターネットへの通信機能を有した電子機器と、電子機器に接続され、記憶媒体の情報を読み取る読み取り装置と、インターネットに接続され、情報を提供するｗｅｂサーバーとを備え、読み取り装置により記憶媒体内のＵＲＬが読み取られると、電子機器により、読み取られたＵＲＬを基に、インターネット上のｗｅｂサーバーへのアクセスが行われ、プロダクト説明が必要となる商品のメーカー側の情報が得られることを特徴とする。
本発明のカード情報利用システムは、携帯サイズをなし、プロダクト説明が必要となる商品の画像が表示される表示領域と、前記商品の商品名の画像又はイラスト又はテキスト文字が表示される表示領域と、前記商品の商品名及び商品が存在する店舗名の情報、画像情報、来店日、店の場所、店の電話番号、ジャンル、商品自体の情報、商品を提供する店側のＵＲＬの情報が格納されている記憶媒体と、少なくとも来店日、店の場所、電話番号が表示される表示領域とが設けられている携帯用情報収集媒体と、インターネットへの通信機能を有した電子機器と、電子機器に接続され、記憶媒体の情報を読み取る読み取り装置と、インターネットに接続され、情報を提供するｗｅｂサーバーとを備え、読み取り装置により記憶媒体内のＵＲＬが読み取られると、電子機器により、読み取られたＵＲＬを基に、インターネット上のｗｅｂサーバーへのアクセスが行われ、料理を提供する店側の情報が得られることを特徴とする。
本発明のカード情報利用システムは、携帯サイズをなし、訪問した又は訪問したい店の画像が表示される表示領域と、前記店の店舗名の画像又はイラスト又はテキスト文字が表示される表示領域と、前記店の店舗名の情報、画像情報、来店日、店の場所、店の電話番号、ジャンル、店自体の情報、店のＵＲＬの情報が格納されている記憶媒体と、少なくとも来店日、店の場所、電話番号が表示される表示領域とが設けられている携帯用情報収集媒体と、インターネットへの通信機能を有した電子機器と、電子機器に接続され、記憶媒体の情報を読み取る読み取り装置と、インターネットに接続され、情報を提供するｗｅｂサーバーとを備え、読み取り装置により記憶媒体内のＵＲＬが読み取られると、電子機器により、読み取られたＵＲＬを基に、インターネット上のｗｅｂサーバーへのアクセスが行われ、店側の情報が得られることを特徴とする。
本発明に係る携帯用情報収集媒体においては、携帯サイズをなすたとえばカードに、証明が必要となる商品の画像が表示される表示領域と、商品のメーカーや商品名の画像又はイラスト又はテキスト文字が表示される表示領域と、前記商品のメーカー及び商品名の情報、製造番号、購入日、購入店、保証内容を示す情報、画像情報、ジャンル、商品自体の情報が格納されている記憶媒体と、少なくとも前記証明内容、購入日、購入店が記載される表示領域とを設け、記憶媒体の情報が読み取り装置により読み取り可能とされているようにする。なお、携帯サイズとしては、名刺サイズ、葉書サイズ、写真Ｌサイズ等とすることができる。
【０００６】
【発明の実施の形態】
以下、本発明の実施の形態について説明する。
（第１の実施の形態）
図１は、本発明の携帯用情報収集媒体を、証明書カードに適用した場合の第１の実施の形態を示す図であり、商品（バッグ）２０に対応する証明書カード１０を備えている。なお、商品は、バッグに限らず、証明が必要な時計や貴金属類等のようなものであってもよい。
証明書カード１０は、名刺サイズであり、よって、財布等に収納しておけるので、携帯の妨げとはならない。証明書カード１０の表側には、商品（バッグ）２０の画像が表示される表示領域１１と商品（バッグ）２０のメーカー及び商品名の画像又はイラスト又はテキスト文字が表示される表示領域１２とが設けられている。これら表示領域１１と表示領域１２とには、既存のプリント印刷技術を用いて、画像や文字等を印刷することができる。表示領域１１には、商品（バッグ）２０そのものの画像が表示されるため、証明書カード１０が商品（バッグ）２０のものであることを一見して識別できるようになっている。
【０００７】
証明書カード１０の裏側には、ＩＣチップ１３と少なくとも証明内容、購入日、購入店等が記載される表示領域１４とが設けられている。ＩＣチップ１３には、商品（バッグ）２０のメーカー及び商品名を示す情報や、製造番号、商品（バッグ）２０の画像、証明内容を示す情報、ジャンル等の情報が格納されている。なお、ＩＣチップ１３に格納されている商品（バッグ）２０のメーカー及び商品名を示す情報や、製造番号、商品（バッグ）２０の画像、証明内容等の情報は、所定の暗号化方式により暗号化されている。この暗号化方式は、既に出回っている既存のものを採用してもよく、専用の方式を採用してもよい。また、ＩＣチップ１３に格納されているこれらの情報は、図２に示すカード情報読み取りシステムによって読み取ることができる。すなわち、カード情報読み取りシステムは、ユーザが保有するパーソナルコンピュータ等の電子機器３０と、この電子機器３０に接続される読み取り装置４０とを備え、読み取り装置４０によって読み取られたＩＣチップ１３内の情報が電子機器３０内に取り込まれるようになっている。ここで、電子機器３０としては、パーソナルコンピュータに限らず、ノートパソコン、ＰＤＡ、携帯電話等の他の機器を用いることができる。また、読み取り装置４０をＰＤＡ等の携帯端末に組み込むようにしてもよい。
【０００８】
このような構成の証明書カード１０では、ＩＣチップ１３に格納されている情報が読み取り装置４０により、接触又は非接触により読み取られる。ここで、ＩＣチップ１３に格納されている情報が所定の暗号化方式により暗号化されている場合には、暗号化されている情報を解読するための所定の解読ソフトが用いられる。また、暗号化されている情報を解読するためにパスワードが必要となる場合には、そのパスワードの入力を受け付けるようにすることができる。
また、電子機器３０に所定のバーチャルソフトを組み込んでおくことで、読み取り装置４０により読み取られたＩＣチップ１３内の情報の有効活用を図るようにすることができる。つまり、たとえばＩＣチップ１３に格納されている商品（バッグ）２０の画像情報を所定のバーチャルソフトによって得られる空間内の自由な位置に配置したり、バーチャルソフトに既に組み込まれている商品情報に関わるキャラクターと合体及び連携させたりすることができる。
【０００９】
このように、第１の実施の形態では、証明書カード１０の表側の表示領域１１に商品（バッグ）２０の画像を表示するようにしたので、証明書カード１０が商品（バッグ）２０のものであることを一見して識別することができる。
また、証明書カード１０の表側の表示領域１１に商品（バッグ）２０の画像を表示するようにしたので、自分が保有する商品（バッグ）２０をその画像から判断することができる。
また、証明書カード１０の表側の表示領域１１に商品（バッグ）２０の画像を表示するようにしたので、証明書カード１０自体を集める楽しみが増えるばかりか、証明書カード１０のコレクションの価値を高めることも可能となる。この場合、たとえば証明書カード１０の表側又は裏側に商品（バッグ）２０の全世界でいくつ製造されているかが分かる通し番号を表記したり、ＩＣチップ１３にその通し番号を示す情報を格納しておくことで、商品（バッグ）２０が本物であることの証明の価値やコレクションの価値をさらに高めるようにすることができる。
また、たとえばＩＣチップ１３に格納されている商品（バッグ）２０の画像情報を所定のバーチャルソフトによって得られる空間内の自由な位置に配置したり、バーチャルソフトに既に組み込まれている商品情報に関わるキャラクターと合体及び連携させるようにすることができるので、ＩＣチップ１３に格納されている情報の有効活用を図ることもできる。
【００１０】
なお、第１の実施の形態では、ＩＣチップ１３に商品（バッグ）２０のメーカー及び商品名を示す情報や、製造番号、商品（バッグ）２０の画像、証明内容、ジャンル等の情報を格納した場合について説明したが、この例に限らず、ＩＣチップ１３に商品（バッグ）２０を提供するメーカー側のホームページアドレスであるＵＲＬの情報を格納しておくことも可能である。この場合、図３に示すカード情報利用システムを利用することができる。すなわち、読み取り装置４０により読み取られたＩＣチップ１３内のＵＲＬに基づき、通信機能を有した電子機器３０により、インターネット１２０上の商品（バッグ）２０のメーカーの情報を提供するｗｅｂサーバー１１０に容易にアクセスすることができる。これにより、商品（バッグ）２０のメーカー側の追加情報やアフターケアの内容やアフターケアの受け方を知ることができるばかりか、商品（バッグ）２０のメーカー側の新作も容易に知ることができ、さらには商品（バッグ）２０のメーカー側の支店等を含めた所在地等を知ることができる。
さらにこの場合、ＩＣチップ１３に商品（バッグ）２０の購入者のＩＤを格納しておき、商品（バッグ）２０のメーカー側ではそのＩＣチップ１３内の購入者のＩＤ等の情報を受け取ることで、商品（バッグ）２０の購入者の管理を容易に行うこともできる。
【００１１】
また、このようなインターネット１２０を活用することで、インターネットオークション等に自らが保有する商品（バッグ）２０を掲載するとき、ＩＣチップ１３内の商品（バッグ）２０の画像情報を用いることができ、デジタルカメラを所有していなくても、インターネットオークションの参加が容易となる。
また、証明書カード１０の裏側に設けられているＩＣチップ１３内の情報が所定の暗号化方式により暗号化されているので、ＩＣチップ１３内の情報の改竄を防ぐことができ、商品（バッグ）２０の証明価値を高めることができるばかりか、盗難等にあっても悪用されることがない。この場合、商品（バッグ）２０側に証明書カード１０と対応のとれる情報を格納したＩＣチップ等を埋め込み、証明書カード１０側の情報と商品（バッグ）２０側の情報との一致を確認するようにしてもよく、これにより商品（バッグ）２０の証明価値をさらに高めることができる。
【００１２】
また、第１の実施の形態では、証明書カード１０の表側に、商品（バッグ）２０の画像を表示する表示領域１１と商品（バッグ）２０のメーカー及び商品名の画像又はイラスト又はテキスト文字が表示される表示領域１２とを設け、その裏側に、ＩＣチップ１３と証明内容等が記載される表示領域１４とを設けた場合について説明したが、これらはその表側及び裏側に限らず、それぞれを裏側及び表側に設けてもよく、さらには表示領域１１、表示領域１２、ＩＣチップ１３、表示領域１４の組み合わせを適宜変更することも可能である。
また、第１の実施の形態では、商品（バッグ）２０のメーカー及び商品名を示す情報や、製造番号、商品（バッグ）２０の画像、証明内容、ジャンル等の情報を格納するものとして、ＩＣチップ１３を用いた場合について説明したが、この例に限らず、ＩＣチップ１３を２次元バーコードとしてもよい。
また、第１の実施の形態では、証明書カード１０を商品（バッグ）２０に対応するものとして説明したが、この例に限らず、証明書カード１０をブランド品、宝飾品、骨董品、絵画、資格、学習修了証明書、キャッシュカード、クレジットカード等の証明が必要となるものに適用することができる。
【００１３】
（第２の実施の形態）
図４は、本発明の携帯用情報収集媒体を、保証書カードに適用した場合の第２の実施の形態を示す図であり、保証書カード５０の表側には、商品（テレビ）６０の画像が表示される表示領域５１と商品（テレビ）６０のメーカー及び商品名の画像又はイラスト又はテキスト文字が表示される表示領域５２とが設けられている。なお、商品は、テレビに限らず、保証が必要とされるものであればよい。保証書カード５０は、上記同様に、名刺サイズであり、携帯の妨げとはならない。
これら表示領域５１と表示領域５２とには、既存のプリント印刷技術を用いて、画像や文字等を印刷することができる。表示領域５１の画像は、商品（テレビ）６０そのものが表示されるため、保証書カード５０が商品（テレビ）６０のものであることを一見して識別できるようになっている。
【００１４】
保証書カード５０の裏側には、ＩＣチップ５３と少なくとも購入日、購入店、保証内容等が表示される表示領域５４とが設けられている。ＩＣチップ５３には、商品のメーカー及び商品名の情報、商品（テレビ）６０の製造番号、購入日、購入店、保証内容を示す情報、画像情報、ジャンル、商品自体の情報等が格納されている。なお、ＩＣチップ５３に格納されている商品のメーカー及び商品名の情報、商品（テレビ）６０の製造番号、購入日、購入店、保証内容を示す情報、画像情報、ジャンル、商品自体の情報等は、所定の暗号化方式により暗号化されている。この暗号化方式は、既に出回っている既存のものを採用してもよく、専用の方式を採用してもよい。また、ＩＣチップ５３に格納されているこれらの情報は、図２に示したユーザが保有するパーソナルコンピュータ等の電子機器３０に接続される読み取り装置４０によって読み取るようにすることができる。
【００１５】
このような構成の保証書カード５０では、上記同様に、ＩＣチップ５３に格納されている情報が読み取り装置４０により、接触又は非接触により読み取られる。ここで、ＩＣチップ５３に格納されている情報が所定の暗号化方式により暗号化されている場合には、上記同様に、暗号化されている情報を解読するための所定の解読ソフトが用いられる。また、暗号化されている情報を解読するためにパスワードが必要となる場合には、上記同様に、そのパスワードの入力を受け付けるようにすることができる。
また、電子機器３０に所定のバーチャルソフトを組み込んでおくことで、読み取り装置４０により読み取られたＩＣチップ５３に格納されている情報の有効活用を図るようにすることができる。つまり、上記同様に、たとえばＩＣチップ５３に格納されている商品（テレビ）６０の画像情報を所定のバーチャルソフトによって得られる空間内の自由な位置に配置したり、バーチャルソフトに既に組み込まれている商品情報に関わるキャラクターと合体及び連携させるようにすることができる。
【００１６】
このように、第２の実施の形態では、保証書カード５０の表側の表示領域５１に商品（テレビ）６０の画像を表示するようにしたので、保証書カード５０が商品（テレビ）６０のものであることを一見して識別することができる。
また、保証書カード５０の表側の表示領域５１に商品（テレビ）６０の画像を表示するようにしたので、自分が保有する商品（テレビ）６０をその画像から判断することができる。
また、保証書カード５０の表側の表示領域５１に商品（テレビ）６０の画像を表示するようにしたので、上記同様に、保証書カード５０自体を集める楽しみが増えるばかりか、保証書カード５０のコレクションの価値を高めることも可能となる。
また、たとえばＩＣチップ５３に格納されている商品（テレビ）６０の画像情報を所定のバーチャルソフトによって得られる空間内の自由な位置に配置したり、バーチャルソフトに既に組み込まれている商品情報に関わるキャラクターと合体及び連携させるようにすることができるので、上記同様に、ＩＣチップ５３に格納されている情報の有効活用を図ることもできる。
【００１７】
なお、第２の実施の形態では、ＩＣチップ５３に商品（テレビ）６０のメーカー及び商品名の情報、商品（テレビ）６０の製造番号、購入日、購入店、保証内容を示す情報、画像情報、ジャンル、商品自体の情報等を格納した場合について説明したが、この例に限らず、上記同様に、ＩＣチップ５３に商品（テレビ）６０を提供するメーカー側のホームページアドレスであるＵＲＬの情報を格納しておくことも可能である。この場合、図３に示したように、読み取り装置４０により読み取られたＩＣチップ５３内のＵＲＬにより、インターネット１２０上の商品（テレビ）６０のメーカーのｗｅｂサーバー１１０に容易にアクセスすることができ、商品（テレビ）６０のメーカー側の追加情報やアフターケアの内容やアフターケアの受け方を知ることができるばかりか、商品（テレビ）６０のメーカー側の新作も容易に知ることができ、さらには商品（テレビ）６０のメーカー側の支店等を含めた所在地等を知ることができる。
さらにこの場合、上記同様に、ＩＣチップ５３に商品（テレビ）６０の購入者のＩＤを格納しておき、商品（テレビ）６０のメーカー側ではそのＩＣチップ５３内の購入者のＩＤ等の情報を受け取ることで、商品（テレビ）６０の購入者の管理を容易に行うこともできる。
【００１８】
また、上記同様に、インターネット１２０を活用することで、インターネットオークション等に自らが保有する商品（テレビ）６０を掲載するとき、ＩＣチップ５３内から読み出した商品（テレビ）６０の画像情報を用いることができ、デジタルカメラを所有していなくても、インターネットオークションの参加が容易となる。
また、保証書カード５０の裏側に設けられているＩＣチップ５３内の情報を、所定の暗号化方式により暗号化することで、ＩＣチップ５３内の情報の改竄を防ぐことができ、商品（テレビ）６０の保証価値を高めることができるばかりか、盗難等にあっても悪用されることがない。
この場合、商品（テレビ）６０側に保証書カード５０と対応のとれる情報を格納したＩＣチップ等を埋め込み、保証書カード５０側の情報と商品（テレビ）６０側の情報との一致を確認することで、商品（テレビ）６０の保証価値がさらに高められる。
【００１９】
また、第２の実施の形態では、保証書カード５０の表側に、商品（テレビ）６０の画像を表示する表示領域５１と商品（テレビ）６０のメーカー及び商品名の画像又はイラスト又はテキスト文字が表示される表示領域５２とを設け、その裏側に、ＩＣチップ５３と保証内容等が記載される表示領域５４とを設けた場合について説明したが、これらはその表側及び裏側に限らず、それぞれを裏側及び表側に設けてもよく、さらには表示領域５１、表示領域５２、ＩＣチップ５３、表示領域５４の組み合わせを適宜変更することも可能である。
また、第２の実施の形態では、商品のメーカー及び商品名の情報、商品（テレビ）６０の製造番号、購入日、購入店、保証内容を示す情報、画像情報、ジャンル、商品自体の情報等を格納するものとして、ＩＣチップ５３を用いた場合について説明したが、この例に限らず、上記同様に、ＩＣチップ５３を２次元バーコードとしてもよい。
また、第２の実施の形態では、保証書カード５０を商品（テレビ）６０に対応するものとして説明したが、この例に限らず、電気製品（電気、エネルギーを外部及び内部作成により供給されることで動作する全てのもの、白物家電、ＡＶＩＴ機器等）や車、バイク、自転車、健康器具等の保証が必要となるものに適用することができる。
【００２０】
（第３の実施の形態）
図５は、本発明の携帯用情報収集媒体を、プロダクト説明書カードに適用した場合の第３の実施の形態を示す図であり、プロダクト説明書カード７０の表側には、商品（洋服）８０の画像が表示される表示領域７１と商品（洋服）８０のメーカー及び商品名の画像又はイラスト又はテキスト文字が表示される表示領域７２とが設けられている。なお、商品は、洋服に限らず、プロダクト説明が必要なものであればよい。プロダクト説明書カード７０は、上記同様に、名刺サイズであり、携帯の妨げとはならない。
これら表示領域７１と表示領域７２とには、既存のプリント印刷技術を用いて、画像や文字等を印刷することができる。表示領域７１の画像は、商品（洋服）８０そのものが表示されるため、プロダクト説明書カード７０が商品（洋服）８０のものであることを一見して識別できるようになっている。
【００２１】
プロダクト説明書カード７０の裏側には、ＩＣチップ７３と少なくとも購入日、購入店等が表示される表示領域７４とが設けられている。ＩＣチップ７３には、商品（洋服）８０のメーカー及び商品名の情報、製造番号、購入日、購入店、画像情報、ジャンル、商品自体の情報等の情報が格納されている。なお、ＩＣチップ７３に格納されているメーカー及び商品名の情報、製造番号、購入日、購入店、画像情報、ジャンル、商品自体の情報等の情報は、所定の暗号化方式により暗号化されている。この暗号化方式は、既に出回っている既存のものを採用してもよく、専用の方式を採用してもよい。また、ＩＣチップ７３に格納されているこれらの情報は、図２に示したユーザが保有するパーソナルコンピュータ等の電子機器３０に接続される読み取り装置４０によって読み取るようにすることができる。
このような構成のプロダクト説明書カード７０では、上記同様に、ＩＣチップ７３に格納されている情報が読み取り装置４０により、接触又は非接触により読み取られる。ここで、ＩＣチップ７３に格納されている情報が所定の暗号化方式により暗号化されている場合には、上記同様に、暗号化されている情報を解読するための所定の解読ソフトが用いられる。また、暗号化されている情報を解読するためにパスワードが必要となる場合には、上記同様に、そのパスワードの入力を受け付けるようにすることができる。
【００２２】
また、電子機器３０に所定のバーチャルソフトを組み込んでおくことで、読み取り装置４０により読み取られたＩＣチップ７３に格納されている情報の有効活用を図るようにすることができる。つまり、たとえばＩＣチップ７３に格納されている商品（洋服）８０の画像情報を所定のバーチャルソフトによって得られる空間内の自由な位置に配置したり、バーチャルソフトに既に組み込まれている商品情報に関わるキャラクターと合体及び連携させるようにすることができる。
また、上記の電子機器３０に所定のコーディネートを支援するソフトを組み込んでおくことで、読み取り装置４０により読み取られたＩＣチップ７３に格納されている情報の有効活用を図るようにすることができる。つまり、たとえばＩＣチップ７３に格納されている商品（洋服）８０の画像情報を所定のコーディネートを支援するソフトにより取り込むことで、他の洋服との組み合わせがコーディネートされる。
【００２３】
このように、第３の実施の形態では、プロダクト説明書カード７０の表側の表示領域７１に商品（洋服）８０の画像を表示するようにしたので、上記同様に、プロダクト説明書カード７０が商品（洋服）８０のものであることを一見して識別することができる。
また、プロダクト説明書カード７０の表側の表示領域７１に商品（洋服）８０の画像を表示するようにしたので、上記同様に、自分が保有する商品（洋服）８０をその画像から判断することができる。
また、プロダクト説明書カード７０の表側の表示領域７１に商品（洋服）８０の画像を表示するようにしたので、上記同様に、プロダクト説明書カード７０自体を集める楽しみが増えるばかりか、プロダクト説明書カード７０のコレクションの価値を高めることも可能となる。
また、たとえばＩＣチップ７３に格納されている商品（洋服）８０の画像情報を所定のバーチャルソフトによって得られる空間内の自由な位置に配置したり、バーチャルソフトに既に組み込まれている商品情報に関わるキャラクターと合体及び連携させるようにすることができるので、上記同様に、ＩＣチップ７３に格納されている情報の有効活用を図ることもできる。
【００２４】
また、上記の電子機器３０に所定のコーディネートを支援するソフトを組み込んでおくことで、読み取り装置４０により読み取られたＩＣチップ７３に格納されている情報の有効活用を図るようにすることができる。つまり、たとえばＩＣチップ７３に格納されている商品（洋服）８０の画像情報を所定のコーディネートを支援するソフトにより取り込むことで、他の洋服との組み合わせによるコーディネートを行うことができる。
なお、第３の実施の形態では、ＩＣチップ７３に商品（洋服）８０のメーカー及び商品名の情報、製造番号、購入日、購入店、画像情報、ジャンル、商品自体の情報等の情報を格納した場合について説明したが、この例に限らず、上記同様に、ＩＣチップ７３に商品（洋服）８０を提供するメーカー側のホームページアドレスであるＵＲＬの情報を格納しておくことも可能である。この場合、図３に示したように、読み取り装置４０により読み取られたＩＣチップ７３内のＵＲＬにより、インターネット１２０上の商品（洋服）８０のメーカーのｗｅｂサーバー１１０に容易にアクセスすることができ、商品（洋服）８０のメーカー側の追加情報やアフターケアの内容やアフターケアの受け方を知ることができるばかりか、商品（洋服）８０のメーカー側の新作も容易に知ることができ、さらには商品（洋服）８０のメーカー側の支店等を含めた所在地等を知ることができる。
【００２５】
さらにこの場合、上記同様に、ＩＣチップ７３に商品（洋服）８０の購入者のＩＤを格納しておき、商品（洋服）８０のメーカー側ではそのＩＣチップ７３内の購入者のＩＤ等の情報を受け取ることで、商品（洋服）８０の購入者の管理を容易に行うことができる。
また、上記同様に、インターネット１２０を活用することで、インターネットオークション等に自らが保有する商品（洋服）８０を掲載するとき、ＩＣチップ７３から読み込める商品（洋服）８０の画像情報を用いることができ、デジタルカメラを所有していなくても、インターネットオークションの参加が容易となる。
また、プロダクト説明書カード７０の裏側に設けられているＩＣチップ７３内の情報を、所定の暗号化方式により暗号化しているので、ＩＣチップ７３内の情報の改竄を防ぐことができ、盗難等にあっても悪用されることがない。
【００２６】
また、第３の実施の形態では、プロダクト説明書カード７０の表側に、商品（洋服）８０の画像を表示する表示領域７１と商品（洋服）８０のメーカー及び商品名の画像又はイラスト又はテキスト文字が表示される表示領域７２とを設け、その裏側に、ＩＣチップ７３と少なくとも少なくとも購入日、購入店等が表示される表示領域７４とを設けた場合について説明したが、これらはその表側及び裏側に限らず、上記同様に、それぞれを裏側及び表側に設けてもよく、さらには表示領域７１、表示領域７２、ＩＣチップ７３、表示領域７４の組み合わせを適宜変更することも可能である。
また、第３の実施の形態では、商品（洋服）８０のメーカー及び商品名の情報、製造番号、購入日、購入店、画像情報、ジャンル、商品自体の情報等の情報を格納するものとして、ＩＣチップ７３を用いた場合について説明したが、この例に限らず、上記同様に、ＩＣチップ７３を２次元バーコードとしてもよい。
また、第３の実施の形態では、プロダクト説明書カード７０を商品（洋服）８０に対応するものとして説明したが、この例に限らず、衣料品、装飾品、家具、生活用品、スポーツ用品／器具、料理器具、医療用品／器具、文房具、書籍、玩具（ゲーム機器／ソフトも含む）、音楽／映像ソフト、化粧品、乗り物等の無機質的なものであって購入して所有することができるものであり、プロダクトの説明が必要となるものに適用することができる。
【００２７】
（第４の実施の形態）
図６は、本発明の携帯用情報収集媒体を、プロダクト説明書カードに適用した場合の第４の実施の形態を示す図であり、プロダクト説明書カード９０の表側には、商品（料理）１００の画像が表示される表示領域９１と商品（料理）１００の料理名の画像又はイラスト又はテキスト文字が表示される表示領域９２とが設けられている。プロダクト説明書カード９０は、上記同様に、名刺サイズであり、携帯の妨げとはならない。このプロダクト説明書カード９０は、商品（料理）１００を提供する店側に用意されてあり、利用者に対してそれぞれの商品（料理）１００に対応するプロダクト説明書カード９０が与えられるようにしてもよい。
これら表示領域９１と表示領域９２とには、既存のプリント印刷技術を用いて、画像や文字等を印刷することができる。表示領域９１の画像は、商品（料理）１００そのものが表示されるため、プロダクト説明書カード９０が商品（料理）１００のものであることを一見して識別できるようになっている。
【００２８】
プロダクト説明書カード９０の裏側には、ＩＣチップ９３と少なくとも来店日、店の場所、電話番号等が表示される表示領域９４とが設けられている。ＩＣチップ９３には、商品（料理）１００の商品名及び商品が存在する店舗名の情報、画像情報、来店日、店の場所、店の電話番号、ジャンル、商品自体の情報等の情報が格納されている。なお、ＩＣチップ９３に格納されている商品名及び商品が存在する店舗名の情報、画像情報、来店日、店の場所、店の電話番号、ジャンル、商品自体の情報等の情報は、所定の暗号化方式により暗号化されている。この暗号化方式は、既に出回っている既存のものを採用してもよく、専用の方式を採用してもよい。また、ＩＣチップ９３に格納されているこれらの情報は、図２に示したユーザが保有するパーソナルコンピュータ等の電子機器３０に接続される読み取り装置４０によって読み取るようにすることができる。
【００２９】
このような構成のプロダクト説明書カード９０では、上記同様に、ＩＣチップ９３に格納されている情報が読み取り装置４０により、接触又は非接触により読み取られる。ここで、ＩＣチップ９３に格納されている情報が所定の暗号化方式により暗号化されている場合には、上記同様に、暗号化されている情報を解読するための所定の解読ソフトが用いられる。また、暗号化されている情報を解読するためにパスワードが必要となる場合には、上記同様に、そのパスワードの入力を受け付けるようにすることができる。
また、電子機器３０に所定のバーチャルソフトを組み込んでおくことで、読み取り装置４０により読み取られたＩＣチップ９３に格納されている情報の有効活用を図るようにすることができる。つまり、たとえばＩＣチップ９３に格納されている商品（料理）１００の画像情報を所定のバーチャルソフトによって得られる空間内の自由な位置に配置したり、バーチャルソフトに既に組み込まれている商品情報に関わるキャラクターと合体及び連携させるようにすることができる。
また、上記の電子機器３０に所定の献立を支援するソフトを組み込んでおくことで、読み取り装置４０により読み取られたＩＣチップ９３に格納されている情報の有効活用を図るようにすることができる。つまり、たとえばＩＣチップ９３に格納されている商品（料理）１００の画像情報やレシピ情報を、所定の献立を支援するソフトにより取り込むことで、献立の支援が行われる。つまり、献立のメニューを増やしたり、プロの味をまねたりすることができる。
【００３０】
このように、第４の実施の形態では、プロダクト説明書カード９０の表側の表示領域９１に商品（料理）１００の画像を表示するようにしたので、上記同様に、プロダクト説明書カード９０が商品（料理）１００のものであることを一見して識別することができる。
また、プロダクト説明書カード９０の表側の表示領域９１に商品（料理）１００の画像を表示するようにしたので、上記同様に、自分が食べたことのある商品（料理）１００をその画像から判断することができるばかりか、その店のイメージを容易に思い浮かべたりすることも可能となる。
また、プロダクト説明書カード９０の表側の表示領域９１に商品（料理）１００の画像を表示するようにしたので、上記同様に、プロダクト説明書カード９０自体を集める楽しみが増えるばかりか、プロダクト説明書カード９０のコレクションの価値を高めることも可能となる。
また、たとえばＩＣチップ９３に格納されている商品（料理）１００の画像情報を所定のバーチャルソフトによって得られる空間内の自由な位置に配置したり、バーチャルソフトに既に組み込まれている商品情報に関わるキャラクターと合体及び連携させるようにすることができるので、上記同様に、ＩＣチップ９３に格納されている情報の有効活用を図ることもできる。
【００３１】
また、上記の電子機器３０に所定の献立を支援するソフトを組み込んでおくことで、たとえばＩＣチップ９３に格納されている商品（料理）１００の画像情報やレシピ情報から献立のメニューを増やしたり、プロの味をまねたりすることができ、上記同様に、ＩＣチップ９３に格納されている情報の有効活用を図ることもできる。
また、上記の電子機器３０にマップ表示を支援するソフトを組み込んでおくことで、たとえばＩＣチップ９３に格納されている店の場所を示す情報からその店をマップ上に表示したり登録したりすることができる。
なお、第４の実施の形態では、ＩＣチップ９３に商品（料理）１００の商品名及び商品が存在する店舗名の情報、画像情報、来店日、店の場所、店の電話番号、ジャンル、商品自体の情報等の情報を格納した場合について説明したが、この例に限らず、上記同様に、ＩＣチップ９３に商品（料理）１００を提供するメーカー側のホームページアドレスであるＵＲＬの情報を格納しておくことも可能である。この場合、図３に示したように、読み取り装置４０により読み取られたＩＣチップ９３内のＵＲＬにより、インターネット１２０上の商品（料理）１００を提供する店のｗｅｂサーバー１１０に容易にアクセスすることができ、商品（料理）の追加情報や他の料理の内容や他の料理のレシピを知ることができるばかりか、商品（料理）１００を提供する店の所在地等を知ることができる。
【００３２】
さらにこの場合、上記同様に、ＩＣチップ９３に商品（料理）１００の利用者のＩＤを格納しておき、商品（料理）１００を提供する店側ではそのＩＣチップ９３内の利用者のＩＤ等の情報を受け取ることで、利用者に対し商品（料理）１００を提供する店の割引サービス等を容易に行うことができる。
また、プロダクト説明書カード９０の裏側に設けられているＩＣチップ９３内の情報を、所定の暗号化方式により暗号化した場合には、ＩＣチップ９３内の情報の改竄を防ぐことができ、盗難等にあっても悪用されることがない。
また、第４の実施の形態では、プロダクト説明書カード９０の表側に、商品（料理）１００の画像を表示する表示領域９１と商品（料理）１００の料理名の画像又はイラスト又はテキスト文字が表示される表示領域９２とを設け、その裏側に、ＩＣチップ９３と少なくとも来店日、店の場所、電話番号等が表示される表示領域９４とを設けた場合について説明したが、これらはその表側及び裏側に限らず、上記同様に、それぞれを裏側及び表側に設けてもよく、さらには表示領域９１、表示領域９２、ＩＣチップ９３、表示領域９４の組み合わせを適宜変更することも可能である。
また、第４の実施の形態では、商品（料理）１００の商品名及び商品が存在する店舗名の情報、画像情報、来店日、店の場所、店の電話番号、ジャンル、商品自体の情報等の情報を格納するものとして、ＩＣチップ９３を用いた場合について説明したが、この例に限らず、上記同様に、ＩＣチップ９３を２次元バーコードとしてもよい。
また、第４の実施の形態では、プロダクト説明書カード９０を商品（料理）１００に対応するものとして説明したが、この例に限らず、食料（食材、料理名等）、飲料（酒、カクテル、清涼飲料等）、植物（花、観葉植物等）、動物（ペット等）等の有機質的なものであってプロダクトの説明が必要となるものに適用することができる。
【００３３】
（第５の実施の形態）
図７は、本発明の携帯用情報収集媒体を、店説明書カードに適用した場合の第５の実施の形態を示す図であり、店説明書カード９０ａの表側には、店１００ａの画像が表示される表示領域９１ａと店１００ａの店舗名の画像又はイラスト又はテキスト文字が表示される表示領域９２ａとが設けられている。店説明書カード９０ａは、上記同様に、名刺サイズであり、携帯の妨げとはならない。この店説明書カード９０ａは、利用した店１００ａ側に用意されてあり、利用者に対して店１００ａが分かる店説明書カード９０ａが与えられるようにしてもよい。
これら表示領域９１ａと表示領域９２ａとには、上記同様に、既存のプリント印刷技術を用いて、画像や文字等を印刷することができる。表示領域９１ａの画像は、店１００ａそのものが表示されるため、店説明書カード９０ａが店１００ａのものであることを一見して識別できるようになっている。
【００３４】
店説明書カード９０ａの裏側には、ＩＣチップ９３ａと少なくとも来店日、店の場所、電話番号等が表示される表示領域９４ａとが設けられている。ＩＣチップ９３ａには、店１００ａの店舗名の情報、画像情報、来店日、店の場所、店の電話番号、ジャンル、店自体の情報等の情報が格納されている。なお、ＩＣチップ９３ａに格納されている店舗名の情報、画像情報、来店日、店の場所、店の電話番号、ジャンル、店自体の情報等の情報は、所定の暗号化方式により暗号化されている。この暗号化方式は、既に出回っている既存のものを採用してもよく、専用の方式を採用してもよい。また、ＩＣチップ９３ａに格納されているこれらの情報は、図２に示したユーザが保有するパーソナルコンピュータ等の電子機器３０に接続される読み取り装置４０によって読み取るようにすることができる。
【００３５】
このような構成の店説明書カード９０ａでは、上記同様に、ＩＣチップ９３ａに格納されている情報が読み取り装置４０により、接触又は非接触により読み取られる。ここで、ＩＣチップ９３ａに格納されている情報が所定の暗号化方式により暗号化されている場合には、上記同様に、暗号化されている情報を解読するための所定の解読ソフトが用いられる。また、暗号化されている情報を解読するためにパスワードが必要となる場合には、上記同様に、そのパスワードの入力を受け付けるようにすることができる。
また、電子機器３０に所定のバーチャルソフトを組み込んでおくことで、読み取り装置４０により読み取られたＩＣチップ９３ａに格納されている情報の有効活用を図るようにすることができる。つまり、たとえばＩＣチップ９３ａに格納されている店１００ａの画像情報を所定のバーチャルソフトによって得られる空間内に店の位置情報に基づく適切な位置に配置したり、バーチャルソフトに既に組み込まれている店情報に関わるキャラクターと合体及び連携させるようにすることができる。
【００３６】
このように、第５の実施の形態では、店説明書カード９０ａの表側の表示領域９１ａに店１００ａの画像を表示するようにしたので、上記同様に、店説明書カード９０ａが店１００ａのものであることを一見して識別することができる。
また、店説明書カード９０ａの表側の表示領域９１ａに店１００ａの画像を表示するようにしたので、上記同様に、自分が利用したことのある店１００ａをその画像から判断することができるばかりか、その店１００ａのイメージを容易に思い浮かべたりすることも可能となる。
また、店説明書カード９０ａの表側の表示領域９１ａに店１００ａの画像を表示するようにしたので、上記同様に、店説明書カード９０ａ自体を集める楽しみが増えるばかりか、店説明書カード９０ａのコレクションの価値を高めることも可能となる。
また、たとえばＩＣチップ９３ａに格納されている店１００ａの画像情報を所定のバーチャルソフトによって得られる空間内に店の位置情報に基づく適切な位置に配置したり、バーチャルソフトに既に組み込まれている店情報に関わるキャラクターと合体及び連携させるようにすることができるので、上記同様に、ＩＣチップ９３ａに格納されている情報の有効活用を図ることもできる。
【００３７】
また、上記の電子機器３０にマップ表示を支援するソフトを組み込んでおくことで、たとえばＩＣチップ９３ａに格納されている店１００ａの場所を示す情報からその店１００ａをマップ上に表示したり登録したりすることができる。
なお、第５の実施の形態では、ＩＣチップ９３ａに店１００ａの店舗名の情報、画像情報、来店日、店の場所、店の電話番号、ジャンル、店自体の情報等の情報を格納した場合について説明したが、この例に限らず、上記同様に、ＩＣチップ９３ａに店１００ａ側が提供するホームページアドレスであるＵＲＬの情報を格納しておくことも可能である。この場合、図３に示したように、読み取り装置４０により読み取られたＩＣチップ９３ａ内のＵＲＬにより、インターネット１２０上の店１００ａ側のｗｅｂサーバー１１０に容易にアクセスすることができ、店１００ａ側の所在地やサービス内容等を知ることができる。
【００３８】
さらにこの場合、上記同様に、ＩＣチップ９３ａに店１００ａの利用者のＩＤを格納しておき、店１００ａを提供する店側ではそのＩＣチップ９３ａ内の利用者のＩＤ等の情報を受け取ることで、利用者に対し店１００ａの割引サービス等を容易に行うことができる。
また、この場合、ｗｅｂサイトの地図上に店１００ａを登録することも可能であり、さらにその登録とともに店１００ａについての評価を入力すると、ｗｅｂサイトに反映され、美味しいお店、接客の上手なデパート等、他人の知りたい情報を収集した結果として店１００ａの評価を示す情報を提示することも可能となる。
また、店説明書カード９０ａの裏側に設けられているＩＣチップ９３ａ内の情報を、所定の暗号化方式により暗号化した場合には、ＩＣチップ９３ａ内の情報の改竄を防ぐことができ、盗難等にあっても悪用されることがない。
また、第５の実施の形態では、店説明書カード９０ａの表側に、店１００ａの画像を表示する表示領域９１ａと店１００ａの料理名の画像又はイラスト又はテキスト文字が表示される表示領域９２ａとを設け、その裏側に、ＩＣチップ９３ａと少なくとも来店日、店の場所、電話番号等が表示される表示領域９４ａとを設けた場合について説明したが、これらはその表側及び裏側に限らず、上記同様に、それぞれを裏側及び表側に設けてもよく、さらには表示領域９１ａ、表示領域９２ａ、ＩＣチップ９３ａ、表示領域９４ａの組み合わせを適宜変更することも可能である。
【００３９】
また、第５の実施の形態では、店１００ａの店舗名の情報、画像情報、来店日、店の場所、店の電話番号、ジャンル、店自体の情報等の情報を格納するものとして、ＩＣチップ９３ａを用いた場合について説明したが、この例に限らず、上記同様に、ＩＣチップ９３ａを２次元バーコードとしてもよい。
また、第５の実施の形態では、店説明書カード９０ａを店１００ａに対応するものとして説明したが、この例に限らず、デパート、スーパー、小売店、ディスカウントショップ等であってもよく、またそれらの名称であってもよく、またブランドやロゴであってもよく、またゲーム機器（パチンコ、カジノ）等の遊戯物であってもよく、また遊戯施設（ボーリング場、スケートリンク等）であってもよく、またレジャー施設（スキー場、ゴルフ場、テーマパーク等）であってもよく、またアトラクション（スペースマウンテン、ドドンパ等）であってもよく、また建造物（家、神社、仏閣、競技場等）であってもよく、また観光地（山、海岸等）であってもよく、またイベント（コンサート、展覧会等）であってもよく、また乗り物（飛行機、電車等）であってもよく、またアーティスト（タレント、ミュージシャン等）であってもよく、またアスリート、競走馬、レースドッグ等の所有することができないものであっても適用することができる。
【００４０】
また、以上の各実施の形態での証明書カード１０、保証書カード５０、プロダクト説明書カード７０，９０、店説明書カード９０ａに組み込まれたＩＣチップ１３，５３，７３，９３，９３ａには、高度なセキュリティや認証が不要であるため、電子マネーや個人情報を扱うためのＩＣチップのような高度なセキュリティや認証のために高価なものとならず、極めて安価に提供することができる。
また、以上の各実施の形態での証明書カード１０、保証書カード５０、プロダクト説明書カード７０，９０、店説明書カード９０ａは、たとえば商品を持っていた証拠として半永久的に保持できることから、従来のＩＣタグのように商品の流通や在庫を管理するものに比べて消費者の利便性を考えたものであるといえる。
【００４１】
なお、以上の各実施の形態でのＩＣチップ１３，５３，７３，９３，９３ａに格納される画像は、静止画又は動画のいずれであってもよいことはもちろんである。
また、以上の各実施の形態では、本発明の携帯用情報収集媒体を、証明書カード１０、保証書カード５０、プロダクト説明書カード７０，９０、店説明書カード９０ａに適用した場合について説明したが、これらの例に限らず、携帯用情報収集媒体を、たとえば絵葉書やＣＤのジャケット写真のような商品に対して適用することも可能である。すなわち、絵葉書の場合には、上述したＩＣチップ１３，５３，７３，９３，９３ａを絵葉書の所定の箇所に貼り付けたり埋め込んだりし、そのＩＣチップ１３，５３，７３，９３，９３ａに絵葉書の画像情報や画像の説明内容等を格納しておくことで、上記同様に、画像情報や画像の説明内容等の有効活用を図ることができる。また、ＣＤのジャケット写真に同様に、ＩＣチップ１３，５３，７３，９３，９３ａを貼り付けたり埋め込んだりすることで、ジャケット写真の画像情報や画像の説明及びアーティストの説明等の情報の有効活用を図ることができる。
また、以上の各実施の形態では、証明書カード１０、保証書カード５０、プロダクト説明書カード７０，９０、店説明書カード９０ａを名刺サイズとした場合について説明したが、この例に限らず、葉書サイズ、写真Ｌサイズ等のように携帯サイズとしてもよい。
また、本発明の携帯用情報収集媒体を、メンバーカードやポイントカード等のように、メンバー特典情報やポイント、利用回数を貯めたり使用できるカードに適用してもよい。この場合、メンバーカードやポイントカードに個人情報を含んでもよい。
また、上述したＩＣチップ１３，５３，７３，９３，９３ａに格納される画像等の情報を統一されたフォーマットで格納するようにしてもよく、この場合には単一の情報管理ソフトによりＩＣチップ１３，５３，７３，９３，９３ａに格納される画像等の情報を容易に統一管理することができる。
【００４２】
また、本発明の携帯用情報収集媒体を用いることで、その携帯用情報収集媒体に格納されている上述した情報が取得できるＵＲＬを用いてｗｅｂにアクセスし、自動で必要データを吸い上げるシステムを構築することが可能となる。この場合、商品自体や商品の梱包に付帯する情報を用いてもよい。
また、携帯用情報収集媒体に格納されている上述した情報を取り込んだ機器により、携帯用情報収集媒体のコンテンツの評価を行い、その評価がｗｅｂ上の評価サイトに送られるシステムを構築することも可能となる。
しかも、本発明の携帯用情報収集媒体に格納されている上述した情報を用いることで、自分の所有している、あるいは所有したいコンテンツのデータベースの利用や、自分が行ったことのある、あるいは行ってみたい場所を登録／閲覧できるバーチャルマップの利用や、自分の所有物／所有したい物を家に配置／配列できるバーチャルホームの利用や、好みの料理やカロリー計算して料理を提案してくれるバーチャルコックの利用や、料理と所有している酒の組み合わせを提案してくれるバーチャルソムリエの利用や、衣料品、装飾品の組み合わせを自分用にアレンジしてくれるバーチャルコーディネーターの利用や、所有している音楽を管理、聴く曲の提案、曲のミキシング等をしてくれるバーチャルＤＪの利用や、所有物の増減や変更に対してアドバイスをしてくれるバーチャルプランナーの利用等を容易に行うことが可能となる。
【００４３】
また、上述した証明書カード１０、保証書カード５０、プロダクト説明書カード７０，９０、店説明書カード９０ａにあっては、四隅のいずれかに紐が通るほどの穴が形成され、その穴に紐を通し、商品とつなげるようにしてもよい。この場合、商品の梱包に上述した証明書カード１０、保証書カード５０、プロダクト説明書カード７０，９０、店説明書カード９０ａのいずれかを同梱できないような場合、穴に紐を通し商品とつなげることが可能となる。
上述した証明書カード１０、保証書カード５０、プロダクト説明書カード７０，９０、店説明書カード９０ａにあっては、観光地、記念館、イベント会場、山頂等での記念カードに適用することができる。この場合、観光地、記念館、イベント会場、山頂等に記念カードの販売装置を設置し、その販売装置に所定の金額を入れると、記念カードのＩＣチップに購入日時や観光地、記念館、イベント会場、山頂等の説明内容等が書き込まれた記念カードが販売されるようにする。なお、このような記念カードに限らず、一般の店でも同様な販売装置を設置することで、店カードを販売することも可能である。
【００４４】
また、上述した証明書カード１０、保証書カード５０、プロダクト説明書カード７０，９０、店説明書カード９０ａにあっては、ＩＣチップを含んだシールとしてもよい。この場合、たとえば食料品や生物等のように、商品自体にＩＣチップを組み込むことができない場合でも、ＩＣチップを含んだシールを貼着することで、その商品の情報をＩＣチップを含んだシールに持たせることができる。
この場合、ＩＣチップには、少なくとも、商品名、商品個数、製造日、賞味期限等をデータとして書き込むようにする。
具体的には、
（たまご、１０、２００３／０２／０２、２００３／０２／１５）
（コーラ、１、２００３／０２／０２、２００４／０２／０１）
といったようにする。
他に値段やメーカー名、カロリー等の情報が入っていてもよい。また、ＩＣチップを含んだシールは、何度でもはがしてはれるようにした使い回しができるものであってもよい。また、シール自体には、少なくとも商品名、賞味期限が記載されていてもよいし、記載されていなくてもよい。
また、このようなＩＣチップを含んだシールにあっては、上述した電子機器３０に接続される読み取り装置４０によってそのＩＣチップ内の情報が読みとられるようにしてもよい。また、そのＩＣチップ内の情報は、電子機器３０によってデータ編集が行われるようにすることができる。また、読みとられたそのＩＣチップ内の情報は、インターネット１２０を介して他の電子機器３０に転送するようにしてもよい。
【００４５】
また、上述した電子機器３０に組み込まれている所定のバーチャルソフトは、電子機器３０に限らず、ｗｅｂ上で動作するバーチャルソフトであってもよい。
また、所定のバーチャルソフトとしては、バーチャルマイホームとしてもよい。これは、家の構造を３Ｄ画像で表示でき、そこにコンテンツを配置できるものである。各場所（キッチン、洋服タンス、靴箱、化粧品入れ、救急箱等）を３Ｄ表示又は２Ｄ表示又はイラスト表示又はテキスト表示し、各場所毎にコンテンツを管理できる。各場所を選択してから上述した読み取り装置４０で情報を読み込むと、その場所にコンテンツが配置／管理される。配置したコンテンツに対して編集（名称変更、個数変更等）も可能である。また、コンテンツの評価を入力するとｗｅｂ上の評価サイトへアップロードできるようにしてもよい。
また、上述した所定のバーチャルソフトは、マイコックであってもよい。これは、キッチン（冷蔵庫、乾物入れ等）に登録されている食材をもとに、現在調理できる料理を提案するものである。これにより、賞味期限を元に期限切れしないように料理提示をしたり、カロリー計算して料理提示したり、またそのカロリーを時系列で管理したりすることが可能となる。
【００４６】
【発明の効果】
以上の如く本発明に係る携帯用情報収集媒体によれば、携帯サイズをなすたとえばカードに、証明が必要となる商品の画像が表示される表示領域と、商品のメーカー及び商品名の画像又はイラスト又はテキスト文字が表示される表示領域表示領域と、商品のメーカー及び商品名の情報、製造番号、購入日、購入店、証明内容を示す情報、画像情報、ジャンル、商品自体の情報が格納されている記憶媒体と、少なくとも前記証明内容、購入日、購入店が記載される表示領域とを設け、記憶媒体の情報が読み取り装置により読み取り可能とされているようにしたので、商品を視覚的に認識することができ、また商品が本物であることを裏付けることができ、さらには情報を有効活用することができる。
【図面の簡単な説明】
【図１】本発明の携帯用情報収集媒体を、証明書カードに適用した場合の第１の実施の形態を示す図である。
【図２】図１の証明書カードの情報を読み取るためのカード情報読み取りシステムを示す図である。
【図３】図１の証明書カードの情報を利用するためのカード情報利用システムを示す図である。
【図４】本発明の携帯用情報収集媒体を、保証書カードに適用した場合の第２の実施の形態を示す図である。
【図５】本発明の携帯用情報収集媒体を、プロダクト説明書カードに適用した場合の第３の実施の形態を示す図である。
【図６】本発明の携帯用情報収集媒体を、プロダクト説明書カードに適用した場合の第４の実施の形態を示す図である。
【図７】本発明の携帯用情報収集媒体を、店説明書カードに適用した場合の第５の実施の形態を示す図である。
【符号の説明】
１０  証明書カード
１１  表示領域
１２  表示領域
１３  ＩＣチップ
１４  表示領域
３０  電子機器
４０  読み取り装置
５０  保証書カード
５１  表示領域
５２  表示領域
５３  ＩＣチップ
５４  表示領域
７０  プロダクト説明書カード
７１  表示領域
７２  表示領域
７３  ＩＣチップ
７４  表示領域
９０  プロダクト説明書カード
９１  表示領域
９２  表示領域
９３  ＩＣチップ
９４  表示領域
９０ａ  店説明書カード
９１ａ  表示領域
９２ａ  表示領域
９３ａ  ＩＣチップ
９４ａ  表示領域
１１０  サーバー
１２０  インターネット
【図１】
2004276238.tif 000003
【図２】
2004276238.tif 000004
【図３】
2004276238.tif 000005
【図４】
2004276238.tif 000006
【図５】
2004276238.tif 000007
【図６】
2004276238.tif 000008
【図７】
2004276238.tif 000009